(57)【要約】本発明は、混和性および不混和性の液体を混合するため、および／または、乳濁液を生成するための装置であって、圧力によって駆動されるシステムに対する第１接続部と、混合しようとする液体を、加圧された液体の流れによって吸引されるように供給するための第２接続部とを備える装置に関する。
2008532754.tif 000002
【特許請求の範囲】
【請求項１】
混和性および不混和性の液体を混合するため、および／または、乳濁液を生成するための装置において、
圧力によって駆動されるシステムに対する第１接続部と、
混合しようとする液体を、加圧された液体の流れによって吸引されるように供給するための第２接続部とを特徴とする装置。
【請求項２】
請求項１の装置において、
渦室を備え、
前記渦室は、前記混合しようとする液体を吸引するための圧力を生成するために、前記圧力によって駆動されるシステムと前記第１接続部を介して接続されていることを特徴とする装置。
【請求項３】
前記請求項のいずれかの装置において、
強い流れを生成するための室を備え、
前記室において前記液体が混合されることを特徴とする装置。
【請求項４】
前記請求項のいずれかの装置において、
渦室を備え、
前記渦室は、前記混合しようとする液体を吸引するための真空を生成するため、および、同時に、前記液体を混合するための前記流れを生成するため、前記圧力によって駆動されるシステムと前記第１接続部を介して接続されていることを特徴とする装置。
【請求項５】
前記請求項のいずれかの装置において、
前記混合しようとする液体を含む容器は、堅固にまたは取り外し可能なように前記装置と接続可能であることを特徴とする装置。
【請求項６】
前記請求項のいずれかの装置において、
前記液体を混合するための前記室は、前記加圧された液体の流れる管に対して交差する角度で装着されていることを特徴とする装置。
【請求項７】
前記請求項のいずれかの装置において、
逆流弁を備えていることを特徴とする装置。
【請求項８】
前記請求項のいずれかの装置において、
傾斜した経路を備え、
前記経路に、前記混合しようとする液体のための前記容器の供給チューブまたはパイプを導入できることを特徴とする装置。
【請求項９】
前記請求項のいずれかの装置において、
前記圧力により駆動されるシステムが、家庭の水道管であることを特徴とする装置。
【請求項１０】
前記請求項のいずれかの装置において、
前記混合機能の全体または一部を、機械的に、電気機械的に、液圧的に、気圧的に、または、磁気的に遮断することができることを特徴とする装置。
【請求項１１】
前記請求項のいずれかの装置において、
更なるピストンが形成されており、
前記更なるピストンは、前記混合ユニットと機械的に堅固に接続されており、
前記更なるピストンに対して、前記生成されたシステム圧の力は、前記混合装置に作用する力とは反対の方向に作用し、その結果、前記混合ユニットの位置は、前記生成されたシステム圧とは関係なく保持されることを特徴とする装置。
【請求項１２】
前記請求項のいずれかの装置に接続するための容器において、
前記混合しようとする液体を加えるための投与ノズルを備えていることを特徴とする容器。
【請求項１３】
請求項８の装置に接続するための容器において、
前記装置に接続するための傾斜したチューブを備えていることを特徴とする容器。
【発明の詳細な説明】
【技術分野】
【０００１】
本発明は、混和性および不混和性の液体を混合するため、および／または、乳濁液を生成するための装置に関するものである。
【背景技術】
【０００２】
特に家庭用に、身体衛生用の製剤、濃縮物からなる飲料、洗剤、および、その他のよく混ぜられているべき液体を、完全に混合された状態で得る必要がある。特に、化粧品の製造は家庭では困難である。なぜなら、そのためには均一な乳濁液を製造しなければならないからである。既成の化粧品は、化粧品の保存期間を長くする多数の化学物質および乳化剤を含んでいる。しかしながら、これらの化学添加物は、敏感肌の人にとっては大抵の場合よくない。
【発明の開示】
【発明が解決しようとする課題】
【０００３】
したがって、本発明の目的は、圧力によって駆動される管継手に接続することができ、圧力システムから流出する液体、好ましくは家庭用の水道管からの飲用水、に第２液体を混合する、家庭用にも使用可能な装置を提供することである。
【課題を解決するための手段】
【０００４】
この目的は、請求項１の特徴の組み合わせを有する装置によって達成される。混和性および不混和性の液体を混合するため、および／または、乳濁液を生成するための装置が作製されており、この装置は、圧力によって駆動されるシステムに対する第１接続部と、混合しようとする液体を、加圧された液体の流れによって吸引されるように供給するための第２接続部とを備えている。本発明の特別に設計された形態は、主クレームに続く下位クレームから明らかとなる。
【０００５】
本発明の装置はオイルまたは濃縮物をシャワーの水または浴槽の水または手洗いの水に混合することで、シャワーまたは浴槽または洗面台において有用である。この装置は、ジュース濃縮物および飲料素材から飲料を製造するためにも使用し得る。この目的のためには、装置は対応する管継手と接続可能であってもよい。
【０００６】
混合しようとする液体を、専用の容器から供給することが有利である。取り扱いを簡単化するため、この容器は、簡単に取替え可能なものである。
【０００７】
本発明の特別な形態によれば、本発明の特別な観点に基づいて設けられた渦室における強い乱流によって、液体同士が十分に混合される。
【０００８】
真空を生成するため、および、液体を混合するため、渦室は接線注入口を有していてもよい。本発明は、真空が効率的に生成されることの他に、渦室において液体が非常によく混合されるので、液体を混合するために乱流をさらに生成する必要が無くなるという利点を有している。
【０００９】
特に家庭において、混合しようとする液体を含む容器の取替え時の取り扱いが簡単であるように、液体を混合するための装置に容器の接続チューブを斜めに挿入する一形態が特に有利である。容器は混合装置に振り子のように取り付けられているので、特にシャワーの際の容器または混合装置の損傷が大幅に防止される。
【００１０】
また、容器を、磁気錠、または、他の錠もしくは差込システムによって固定することもできる。
【００１１】
液体を混合するための装置を、対応する管継手へ直接ネジ止めすることもできるし、または、供給チューブまたは供給パイプによって管継手と接続することもできる。
【００１２】
混合しようとする液体を含む容器は、混合装置に直接接続することもできるし、または、供給チューブを介して混合装置に接続することもできる。供給チューブを有する実施形態は、混合しようとする液体を有する比較的大きな容器が必要とされる場合、または、他の何らかの理由により液体を混合するための装置に容器を間接的に取り付けることが不都合な場合に有利である。
【００１３】
特にシャワーの際の問題のない動作を保証するため、液体を混合するための装置に、逆流弁が設けられていることが有利である。
【００１４】
真空を生成するための部品と混合のための部品とが、液体を混合するための装置において流れの方向に対して交差するように組み込まれた１つのチューブに装着されていれば、保守作業が簡単になる。そうすれば、混合装置が装着されている状態であっても、対応する部品を簡単に取り外し、必要であれば洗浄することができる。
【００１５】
液体を混合するための装置は、家庭で使用する他に、対応する液体を混合するために産業においても使用することができる。
【００１６】
シャワーを浴びている使用者が（流量が少なくなっても放出され得る）乳濁液と（全開流量によっても）混合物を含まないシャワー水とを切り替えられるようにするためには、混合ユニットの遮断を可能にして混合物を含まない流れを得られるように混合装置を設計することが好都合であろう。この場合、遮断を、機械的、電気機械的、液圧的、気圧的、または、磁気的に行なうことができる。中間段階も好都合であり、その場合は、加圧された媒体の一部が混合され、一部は混合されないまま混合ユニットから出る。
【００１７】
この遮断機能は、混合装置を使用する全ての他の分野、例えば、台所の管継手、浴槽の管継手、または、その他の応用分野においても好都合であり得る。
【００１８】
背圧が大きい場合、ピストン弁を構成している混合ユニットが一方的に作用する力によって挿入された位置から元に戻るように押し出されるということが起こり得る。このような背圧は、例えば、流量の非常に低減されたシャワー散水装置が混合装置に接続されている場合に起こり得る。
【００１９】
本発明によれば、ここでさらに別のピストンが作製されている。このピストンは、機械的にしっかりと混合ユニットに接続されている。また、このピストンに対しては、ピストン弁を構成する混合ユニットに作用する力とは逆の方向に、背圧の力が作用する。したがって、混合ユニットに対する背圧の力が相殺され、切り替え機能の切り替え位置は維持される。
【発明を実施するための最良の形態】
【００２０】
様々な実施形態を参照して、本発明の更なる特徴、詳細、および利点を添付の図において詳しく説明する。
【００２１】
図１から図４の実施形態を参照して、混合装置の基本部材を説明する。混合装置１は、本質的に、ここでは押えネジ４を有するフランジとして示されている、加圧された媒体のための流入口と、ここでは外部にネジ山の付いたパイプソケット５として示されている、混合物のための流出口と、ここでは経路３として示されている、混合しようとする媒体のための供給手段とからなる。図示した実施形態は、渦室として設計された混合ユニット２を備えている。渦室１０の実施形態において、接線流入口７は、乱流を引き起こす。この実施形態では、混合ユニットは、混合装置１の軸に対して角度をつけてスリーブ６に組み込まれている。このスリーブ６は、流入孔８と流出孔９とを備えている。混合しようとする媒体は、供給孔１１を介して渦室へ導入される。乱流の強度を向上するため、渦室の流出口に、制限部１２が設けられていてもよい。
【００２２】
図５から図７は、混合しようとする媒体のための容器２０の一実施形態を示す。容器のこの実施形態は、吸引チューブ２４を有し、この吸引チューブ２４を通して、液体を混合装置へ吸引することができる。この実施形態では、容器は、折り曲げチューブ２１を介して図１から図４の実施形態の混合装置に取り付けることができる。媒体の投与は、投与ノズル２２を介して行なえる。通気のために、通気穴２３が折り曲げチューブ２１に設けられていてもよい。通気穴をこのような位置とすることで、保護キャップがノズルと空気穴とを同様に閉鎖するという利点がある。
【００２３】
図８から図１０に、前記実施形態の容器をどのように本実施形態（図１から図４）の混合装置に差し込めるのかを示す。容器２０の折り曲げチューブを、混合装置１の傾斜した流入口経路３へ導入する。この実施形態では、投与ノズル２２は、挿入時には渦室の軸に対して中央に配置されている。
【００２４】
図１１は、加圧された媒体の供給のために混合装置１が管継手に直接ネジ止めされているのではなく、加圧された媒体が供給チューブ３０を介して供給される一実施形態を示す。
【００２５】
図１２は、混合しようとする媒体を有する容器が混合装置に直接装着されているのではなく、供給しようとする媒体が容器３２から供給チューブまたは供給パイプ３１を介して混合装置１へ供給される一実施形態を示す。この実施形態は、容器を据え付けて装着する必要のある場合、混合装置に直接取り付けるには容器が大きすぎる若しくは重すぎる場合、または、容器が直接的に混合装置の邪魔となる場合に有利である。
【００２６】
図１３は、混合装置１を例えばシャワーの管継手４０にどのように取り付けられるかを示す。この実施形態では、混合しようとする媒体を有する容器２０は、混合装置に直接取り付けられている。この実施形態では、シャワーチューブ４１は、混合装置の流出口にネジ止めされている。
【００２７】
図１４は、混合装置1を例えば浴槽の管継手５０にどのように取り付けられるかを示す。この実施形態では、混合しようとする媒体を有する容器２０は、混合装置に直接取り付けられている。この実施形態では、噴流生成器または気泡生成器５１を、混合装置の流出口にネジ止めすることができる。
【００２８】
図１５は、混合装置１を例えば台所シンクの管継手６０にどのように取り付けられるかを示す。この実施形態では、混合しようとする媒体を有する容器２０は、混合装置に直接取り付けられている。この実施形態では、噴流生成器または気泡生成器６１を混合装置の流出口にネジ止めすることができる。
【００２９】
図１６は、逆流弁を有する混合装置の一実施形態を示す。ここでは、混合装置１のケーシングおよび混合ユニット２を切開図で示す。弁バネ８１の圧力により、弁ボール８０は、供給経路３への逆流経路を閉鎖する。この実施形態で示されているのは、渦室１０と接線流入口７とを有する混合ユニット２である。
【００３０】
図１７は、容器のチューブ９５が混合ユニット９３の供給経路９４へ水平に導入される混合装置９０の一実施形態を示す。ここでは、混合ユニット９３は、混合装置９０に水平に装着される。ここでは、加圧された媒体の供給は、押えネジ９１を有するフランジを介して行なわれる。この実施形態では、流出口９２には、外部ネジ山が設けられている。
【００３１】
図１８において、容器９６のチューブ９５は、図１７の実施形態から、混合装置９０に導入されている。
【００３２】
図１９は、容器のチューブ９５が同じく混合ユニット９３の供給経路９４へ水平に導入される混合装置９０の一実施形態を示す。容器９６と混合装置９０とをより良好に接続するため、この実施形態には永久磁石１００が設けられている。混合ユニット９３は、同様に混合装置９０に水平に装着されている。ここでは、加圧された媒体の供給は、押えネジ９１を有するフランジを介して行なわれる。この実施形態では、流出口９２には、外部ネジ山が設けられている。
【００３３】
図２０において、容器９６のチューブ９５は、図１９の実施形態から、混合装置９０に導入されている。この実施形態では、磁石１００が接続を確実なものとしている。
【００３４】
図２１は、容器１０４が機械的な錠１０６〜１０７を介して混合装置１０１に接続されている一実施形態を示す。この実施形態では、混合装置は吸引穴１０５を備え、施錠が行なわれた後（矢印）、この吸引穴１０５を通して混合しようとする媒体が容器１０４から混合装置１０１へ吸引される。ここでは、加圧された媒体の供給は、押えネジ１０２を有するフランジを介して行なわれる。この実施形態では、流出口１０３には、外部ネジ山が設けられている。
【００３５】
図２２から図２５は、混合機能を遮断することのできる切り替え機能が組み込まれた一実施形態を示す。この実施形態では、混合装置２００の混合ユニット２０３を、プッシュプル操作によって遮断および開通することができる。この実施形態において混合ユニットを引き抜いた場合（図２２および図２２―矢印）、圧力がかけられて供給管２０１を流通する媒体は、混合室２０５を流通せずに孔２０７，２０８を通ることができる。媒体は、混合されずに流出口２０２から出て行く。混合ユニット２０３を挿入した場合（図２３および図２５―矢印）、圧力がかけられて供給管２０１を流通する媒体は、混合室２０５を流通する。媒体は、孔２０７を通って混合室２０５へ流入する。この場合、第２媒体は、供給管２０４を通って供給される。混合物は、混合室２０５の流出孔２０６を通り、孔２０８を通って流出口２０２へ流入する。
【００３６】
混合ユニットが遮断された場合、逆止め弁２０９は、加圧された媒体が供給管２０４から流出するのを防止する。
【００３７】
図２６は、ピストン弁を構成する混合ユニット２５１が混合装置２５０に挿入されている、本発明の対向ピストンを有していない一実施形態を示す。入ってくる圧力２５２により背圧２５３が生成され得るので、力２５４が混合ユニット２５１に作用し、その結果、混合ユニットはそのピストン機能により混合装置２５０から押し出される。
【００３８】
図２７は、ピストン弁を構成する混合ユニット２５１が力２５４によって混合装置２５０における終端位置へと押された、本発明の対向ピストンを有していない一実施形態を示す。
【００３９】
図２８は、ピストン弁を構成する混合ユニット２５１が混合装置２５０に挿入されている、本発明の対向ピストンを有する一実施形態を示す。圧力２５２と背圧２５３とにより生成される力２５８は、更なるピストン２５６により反対方向へ作用し、その結果、ピストン機能を有する混合ユニット２５１は、その設定位置に留まる。この実施形態では、更なる通気穴２５７が設けられている。その結果、上記更なるピストンによって気圧が生じることはない。
【００４０】
図２９は、ピストン弁を構成する混合ユニット２５１が混合装置２５０から終端位置へ引き抜かれた、本発明の対向ピストンを有している一実施形態を示す。ここでは、生じた力２５８は、同様に、更なるピストン２５６により反対方向に作用し、その結果、ピストン機能を有する混合ユニット２５１は、ここでも同様に設定位置に留まる。この実施形態では、同様に更なる通気穴２５７が設けられており、その結果、上記更なるピストンによって気圧が生じることはない。
【図面の簡単な説明】
【００４１】
【図１】図１は、管継手に接続するための混合装置の一実施形態を示す図である。
【図２】図２は、切開されたケーシングを有する図１の混合装置の実施形態を示す図である。
【図３】図３は、図１の混合装置の実施形態の側面図である。
【図４】図４は、図１の混合装置の実施形態の完全な断面図である。
【図５】図５は、斜めの供給経路を有する混合装置と共に使用するための液体容器の一実施形態の側面図である。
【図６】図６は、図５の液体容器の実施形態を通気口についての観点で示す図である。
【図７】図７は、液体容器の実施形態の完全な断面図である。
【図８】図８は、混合装置および挿入位置における液体容器の上記実施形態を示す図である。
【図９】図９は、本実施形態の挿入された容器を有する混合装置の上記実施形態を示す図である。
【図１０】図１０は、本実施形態の挿入された容器を有する混合装置の上記実施形態の完全な断面図である。
【図１１】図１１は、加圧された媒体を供給するための供給チューブを有する混合装置の一実施形態を示す図である。
【図１２】図１２は、供給管を介して混合装置と接続された据え付け型の容器を有する混合装置の一実施形態を示す図である。
【図１３】図１３は、シャワーに使用される差込容器を有する混合装置の一実施形態を示す図である。
【図１４】図１４は、浴槽の管継手に使用される差込容器を有する混合装置の一実施形態を示す図である。
【図１５】図１５は、台所の管継手に使用される差込容器を有する混合装置の一実施形態を示す図である。
【図１６】図１６は、切開されたケーシングと逆流弁を有する切開された混合ユニットとを有する混合装置の一実施形態を示す図である。
【図１７】図１７は、容器の供給チューブが水平に導入される混合装置の他の実施形態を示す図である。
【図１８】図１８は、容器を挿入した図１７の実施形態を示す図である。
【図１９】図１９は、容器の供給チューブが水平に導入され、容器の供給チューブが磁石によって混合装置に固定される、混合装置の一実施形態を示す図である。
【図２０】図２０は、容器が挿入され、固定されている、図１９の実施形態を示す図である。
【図２１】図２１は、機械的な固定により容器が取り付けられる混合装置の一実施形態を示す図である。
【図２２】図２２は、機械的な遮断機能を有する、混合ユニットの引き抜かれている一実施形態を示す図である。
【図２３】図２３は、混合ユニットの挿入されている図２２の実施形態を示す図である。
【図２４】図２４は、混合ユニットの引き抜かれている図２２の実施形態の断面図である。
【図２５】図２５は、混合ユニットの挿入されている図２２の実施形態の断面図である。
【図２６】図２６は、混合ユニットの挿入されている、本発明の対向ピストンを有していない切り替え機能の一実施形態を示す図である。
【図２７】図２７は、混合ユニットの引き抜かれている、本発明の対向ピストンを有していない切り替え機能の一実施形態を示す図である。
【図２８】図２８は、混合ユニットの挿入されている、本発明の対向ピストンを有している切り替え機能の一実施形態を示す図である。
【図２９】図２９は、混合ユニットを引き抜かれている、本発明の対向ピストンを有している切り替え機能の一実施形態を示す図である。
【図１】
2008532754.tif 000003
【図２】
2008532754.tif 000004
【図３】
2008532754.tif 000005
【図４】
2008532754.tif 000006
【図５】
2008532754.tif 000007
【図６】
2008532754.tif 000008
【図７】
2008532754.tif 000009
【図８】
2008532754.tif 000010
【図９】
2008532754.tif 000011
【図１０】
2008532754.tif 000012
【図１１】
2008532754.tif 000013
【図１２】
2008532754.tif 000014
【図１３】
2008532754.tif 000015
【図１４】
2008532754.tif 000016
【図１５】
2008532754.tif 000017
【図１６】
2008532754.tif 000018
【図１７】
2008532754.tif 000019
【図１８】
2008532754.tif 000020
【図１９】
2008532754.tif 000021
【図２０】
2008532754.tif 000022
【図２１】
2008532754.tif 000023
【図２２】
2008532754.tif 000024
【図２３】
2008532754.tif 000025
【図２４】
2008532754.tif 000026
【図２５】
2008532754.tif 000027
【図２６】
2008532754.tif 000028
【図２７】
2008532754.tif 000029
【図２８】
2008532754.tif 000030
【図２９】
2008532754.tif 000031
【国際調査報告】
2008532754.tif 000032
2008532754.tif 000033
2008532754.tif 000034
2008532754.tif 000035
2008532754.tif 000036
2008532754.tif 000037
2008532754.tif 000038
2008532754.tif 000039
2008532754.tif 000040